(57)【要約】【課題】背景以外の撮影範囲内の部分に付したキー色が背景のキー色と異なる色合いとなる場合であってもクロマキー処理を行うことができる写真作成装置を提供する。【解決手段】本写真作成装置の主制御部８０は、筐体内面のうちの背面に対応する第１の領域を撮影画像から切り出し（Ｓ４０１）画像補正して（Ｓ４０２）対応するクロマキーマスクを作成し（Ｓ４０３）、床面に対応する第２の領域を撮影画像から切り出し（Ｓ４０４）その色合いの変化に応じて画像補正を行った後（Ｓ４０５）対応するクロマキーマスクを作成し（Ｓ４０６）利用者により背景画像が選択され（Ｓ４０７）当該背景画像が撮影画像にクロマキー合成される（Ｓ４０８）。このように各領域毎に画像補正を行って異なる色合いを均一にすることにより適切なクロマキーマスクを作成してクロマキー合成を行うことができる。【選択図】図５
2008079185.tif 000002
【特許請求の範囲】
【請求項１】
所定の撮影領域における被写体である利用者を含む像を取得する撮影手段と、前記撮影手段により得られる撮影画像を含む合成画像を写真として出力する出力手段とを備える自動写真作成装置であって、
前記撮影手段による撮影対象であって、第１の色を付された第１の被撮影面および第２の色を付された第２の被撮影面を有する背景提示手段と、
前記撮影画像のうち前記第１の被撮影面の像を含む第１の領域に対して、前記第１の被撮影面の像が占める領域の色に応じた画像補正を行い、またはさらに前記撮影画像のうち前記第２の被撮影面の像を含む第２の領域に対して、前記第２の被撮影面の像が占める領域の色に応じた画像補正を行うことにより、前記第１の被撮影面の像が占める領域の色および前記第２の被撮影面の像が占める領域の色に対応する所定のクロマキーマスクを作成するマスク作成手段と、
前記マスク作成手段により作成されたクロマキーマスクを使用することにより、前記撮影画像に対して所定の付加画像を合成するクロマキー処理を行うことにより、前記合成画像を生成するクロマキー処理手段と
を備えることを特徴とする、自動写真作成装置。
【請求項２】
前記第１および第２の色は、略同一であり、
前記第１および第２の被撮影面の像が占める領域の色は、異なることを特徴とする、請求項１に記載の自動写真作成装置。
【請求項３】
前記マスク作成手段は、前記画像補正を行うことにより、前記第１および第２の被撮影面の像が占める領域を同一色とし、前記同一色の領域に対応する所定のクロマキーマスクを作成することを特徴とする、請求項１に記載の自動写真作成装置。
【請求項４】
前記第１の被撮影面は、前記撮影手段の撮影方向に対して略垂直方向に沿った平面とは異なる面を有しており、
前記マスク作成手段は、前記第１の被撮影面の像が占める領域の色の変化が解消されるよう前記第１の領域に対して所定の画像補正を行うことを特徴とする、請求項１に記載の自動写真作成装置。
【請求項５】
前記第１の被撮影面は、前記撮影手段の撮影方向に対して略垂直方向に沿った面から傾いており、
前記マスク作成手段は、前記第１の被撮影面の有する傾きに応じて変化する前記第１の被撮影面の像が占める領域の色の変化が解消されるよう前記第１の領域に対して所定の画像補正を行うことを特徴とする、請求項４に記載の自動写真作成装置。
【請求項６】
前記第１の被撮影面は、前記利用者が内部に入るべき筐体の内面のうち、前記利用者下方に設けられる床面、前記利用者上方に設けられる天面、前記利用者の左側に設けられる左側面、および前記利用者の右側に設けられる右側面のいずれか１つ以上であり、
前記第２の被撮影面は、前記筐体の内面のうち、前記撮影手段の設置位置を起点として前記利用者の背後方向に設けられる背面であることを特徴とする、請求項５に記載の自動写真作成装置。
【請求項７】
予め定められた複数の画像から前記所定の付加画像を選択するための利用者による操作入力を受け付ける操作入力手段をさらに備え、
前記クロマキー処理手段は、前記撮影画像に対して前記操作入力手段により受け付けられた付加画像を合成するクロマキー処理を行うことを特徴とする、請求項１に記載の自動写真作成装置。
【請求項８】
前記マスク作成手段により行われる画像補正のための基準となる画像であって、前記第１および第２の領域が含まれ、前記利用者が被写体に含まれない背景撮影画像を、所定の時点で前記撮影手段により取得するサンプリング手段をさらに備え、
前記マスク作成手段は、前記サンプリング手段により取得された前記背景撮影画像のうち前記第１の被撮影面の像が占める領域の色に基づき、またはさらに前記背景撮影画像のうち前記第２の被撮影面の像が占める領域の色に基づき、前記画像補正を行うことを特徴とする、請求項１に記載の自動写真作成装置。
【請求項９】
前記サンプリング手段により取得された背景撮影画像に前記利用者の像に含まれるべき色が含まれる異常を検出するエラー検出手段をさらに備え、
前記マスク手段は、前記エラー検出手段により異常が検出される場合、異常が検出された背景撮影画像を前記画像補正に使用しないことを特徴とする、請求項８に記載の自動写真作成装置。
【請求項１０】
所定の撮影領域における被写体である利用者を含む像を取得する撮影ステップと、前記撮影ステップにおいて得られる撮影画像を含む合成画像を写真として出力する出力ステップとを備える自動写真作成方法であって、
前記撮影ステップにおける撮影対象であって、第１の色を付された第１の被撮影面および第２の色を付された第２の被撮影面を有する背景提示手段における前記第１の被撮影面の像を含む第１の領域に対して、前記第１の被撮影面の像が占める領域の色に応じた画像補正を行い、またはさらに前記第２の被撮影面の像を含む第２の領域に対して、前記第２の被撮影面の像が占める領域の色に応じた画像補正を行うことにより、前記第１の被撮影面の像が占める領域の色および前記第２の被撮影面の像が占める領域の色に対応する所定のクロマキーマスクを作成するマスク作成手ステップと、
前記マスク作成ステップにおいて作成されたクロマキーマスクを使用することにより、前記撮影画像に対して所定の付加画像を合成するクロマキー処理を行うことにより、前記合成画像を生成するクロマキー処理ステップと
を含むことを特徴とする、自動写真作成方法。
【請求項１１】
請求項１０に記載の自動写真作成方法をコンピュータに実行させることを特徴とするプログラム。
【発明の詳細な説明】
【技術分野】
【０００１】
本発明は、利用者をカメラで撮影し、その撮影画像に基づき生成される合成画像を写真として出力する自動写真作成装置に関し、より詳細には、クロマキー合成の手法に基づき生成される合成画像を写真として出力する自動写真作成装置に関する。
【背景技術】
【０００２】
従来より、利用者をカメラで撮影し、その撮影画像を写真として出力する遊戯用写真作成装置が知られている。このような遊戯用写真作成装置は、遊戯性または娯楽性が高いことから、撮影画像と合成すべき画像（以下「付加画像」という）を、利用者の嗜好に応じて、予め用意された多種多様な背景画像および前景画像から選択したり、タッチペンやライトペン等のペン型入力手段を用いて利用者が自由に描いたりできるように構成されているものが多い。利用者によるこのような行為は、撮影画像に対してなされるため、「落書き」と呼ばれる。
【０００３】
また近年では、いわゆるクロマキー合成の手法を使用し、撮影された利用者の背景となるよう、予め記憶された複数の画像から利用者により適宜選択された付加画像を合成する落書きが行われることがある。このクロマキー合成の手法では、撮影すべき利用者の背後に単一色（例えば青色や緑色など）の背景を配置し、この背景と利用者とを撮影した撮影画像に含まれる背景の色をキー色（クロマ）として撮影画像のうちの当該色が含まれる領域（背景領域）をマスク（クロマキーマスクを作成）する。このマスクされた背景領域に対して利用者により適宜選択された画像の一部が合成されることにより、利用者の選択した画像があたかも現実の背景として撮影されたかのような合成画像が得られる。従来より、このようなクロマキー合成の手法を使用する自動写真作成装置がある（例えば特許文献１を参照）。
【特許文献１】特開平５−１６１０６４号公報
【発明の開示】
【発明が解決しようとする課題】
【０００４】
しかし、上記従来の写真作成装置におけるキー色を付された背景は、撮影されるべき利用者の背後側の筐体内部の面（以下「背面」という）などにのみ設けられるのが通常である。なぜなら、クロマキー合成のための背景色は同一でなければならないが、例えば利用者の上下左右の面（すなわち筐体内部の左右側面、天面、および床面）に同じ背景色を付したとしても、背面とは同一の色合いにならないからである。
【０００５】
このように筐体の背面のみにキー色を付された背景が設けられる構成であっても、撮影範囲が利用者の上半身である場合には特に問題は生じないが、撮影範囲が利用者の全身である場合には問題となる。以下、図１０を参照して説明する。
【０００６】
図１０は、利用者のほぼ全身を撮影とする場合の撮影範囲を示す図である。図１０に示されるように、キー色を付された背景は筐体の背面のみであり、もし利用者の足元付近を撮影する場合、キー色を付されていない床面が写ることになる。したがって、背景となるべき床面をマスクすることができない。なお、床面にキー色を付したとしても上記背面と同一の色合いにならないことは前述したとおりである。したがって、図１０において点線で示されるように、利用者の足元付近の床面が写らず利用者と背面のみが写るように撮影範囲９０１が設定される（具体的にはカメラの画角や撮影方向などが適宜に設定される）。
【０００７】
しかし、近年の遊技用自動写真作成装置では、利用者の足元を含めた全身が撮影されることが多く、撮影範囲が限定されることは好ましくない。また、カメラの設置位置も利用者の前方だけでなく上方（または斜め上方）の場合もあり、その場合に床面が写らないよう撮影範囲を設定するとその範囲は著しく限定されてしまう。
【０００８】
そこで本発明の目的は、利用者の背後に設けられた背景以外の撮影範囲内の部分に付したキー色が背景に付したキー色とは異なる色合いとなる場合であっても、それぞれに対応するクロマキーマスクを作成し、クロマキー処理を行うことができる自動写真作成装置を提供することである。
【課題を解決するための手段】
【０００９】
第１の発明は、所定の撮影領域における被写体である利用者を含む像を取得する撮影手段と、前記撮影手段により得られる撮影画像を含む合成画像を写真として出力する出力手段とを備える自動写真作成装置であって、
前記撮影手段による撮影対象であって、第１の色を付された第１の被撮影面および第２の色を付された第２の被撮影面を有する背景提示手段と、
前記撮影画像のうち前記第１の被撮影面の像を含む第１の領域に対して、前記第１の被撮影面の像が占める領域の色に応じた画像補正を行い、またはさらに前記撮影画像のうち前記第２の被撮影面の像を含む第２の領域に対して、前記第２の被撮影面の像が占める領域の色に応じた画像補正を行うことにより、前記第１の被撮影面の像が占める領域の色および前記第２の被撮影面の像が占める領域の色に対応する所定のクロマキーマスクを作成するマスク作成手段と、
前記マスク作成手段により作成されたクロマキーマスクを使用することにより、前記撮影画像に対して所定の付加画像を合成するクロマキー処理を行うことにより、前記合成画像を生成するクロマキー処理手段と
を備えることを特徴とする。
【００１０】
第２の発明は、第１の発明において、
前記第１および第２の色は、略同一であり、
前記第１および第２の被撮影面の像が占める領域の色は、異なることを特徴とする。
【００１１】
第３の発明は、第１の発明において、
前記マスク作成手段は、前記画像補正を行うことにより、前記第１および第２の被撮影面の像が占める領域を同一色とし、前記同一色の領域に対応する所定のクロマキーマスクを作成することを特徴とする。
【００１２】
第４の発明は、第１の発明において、
前記第１の被撮影面は、前記撮影手段の撮影方向に対して略垂直方向に沿った平面とは異なる面を有しており、
前記マスク作成手段は、前記第１の被撮影面の像が占める領域の色の変化が解消されるよう前記第１の領域に対して所定の画像補正を行うことを特徴とする。
【００１３】
第５の発明は、第４の発明において、
前記第１の被撮影面は、前記撮影手段の撮影方向に対して略垂直方向に沿った面から傾いており、
前記マスク作成手段は、前記第１の被撮影面の有する傾きに応じて変化する前記第１の被撮影面の像が占める領域の色の変化が解消されるよう前記第１の領域に対して所定の画像補正を行うことを特徴とする。
【００１４】
第６の発明は、第５の発明において、
前記第１の被撮影面は、前記利用者が内部に入るべき筐体の内面のうち、前記利用者下方に設けられる床面、前記利用者上方に設けられる天面、前記利用者の左側に設けられる左側面、および前記利用者の右側に設けられる右側面のいずれか１つ以上であり、
前記第２の被撮影面は、前記筐体の内面のうち、前記撮影手段の設置位置を起点として前記利用者の背後方向に設けられる背面であることを特徴とする。
【００１５】
第７の発明は、第１の発明において、
予め定められた複数の画像から前記所定の付加画像を選択するための利用者による操作入力を受け付ける操作入力手段をさらに備え、
前記クロマキー処理手段は、前記撮影画像に対して前記操作入力手段により受け付けられた付加画像を合成するクロマキー処理を行うことを特徴とする。
【００１６】
第８の発明は、第１の発明において、
前記マスク作成手段により行われる画像補正のための基準となる画像であって、前記第１および第２の領域が含まれ、前記利用者が被写体に含まれない背景撮影画像を、所定の時点で前記撮影手段により取得するサンプリング手段をさらに備え、
前記マスク作成手段は、前記サンプリング手段により取得された前記背景撮影画像のうち前記第１の被撮影面の像が占める領域の色に基づき、またはさらに前記背景撮影画像のうち前記第２の被撮影面の像が占める領域の色に基づき、前記画像補正を行うことを特徴とする。
【００１７】
第９の発明は、第８の発明において、
前記サンプリング手段により取得された背景撮影画像に前記利用者の像に含まれるべき色が含まれる異常を検出するエラー検出手段をさらに備え、
前記マスク手段は、前記エラー検出手段により異常が検出される場合、異常が検出された背景撮影画像を前記画像補正に使用しないことを特徴とする。
【００１８】
第１０の発明は、所定の撮影領域における被写体である利用者を含む像を取得する撮影ステップと、前記撮影ステップにおいて得られる撮影画像を含む合成画像を写真として出力する出力ステップとを備える自動写真作成方法であって、
前記撮影ステップにおける撮影対象であって、第１の色を付された第１の被撮影面および第２の色を付された第２の被撮影面を有する背景提示手段における前記第１の被撮影面の像を含む第１の領域に対して、前記第１の被撮影面の像が占める領域の色に応じた画像補正を行い、またはさらに前記第２の被撮影面の像を含む第２の領域に対して、前記第２の被撮影面の像が占める領域の色に応じた画像補正を行うことにより、前記第１の被撮影面の像が占める領域の色および前記第２の被撮影面の像が占める領域の色に対応する所定のクロマキーマスクを作成するマスク作成手ステップと、
前記マスク作成ステップにおいて作成されたクロマキーマスクを使用することにより、前記撮影画像に対して所定の付加画像を合成するクロマキー処理を行うことにより、前記合成画像を生成するクロマキー処理ステップと
を含むことを特徴とする。
【００１９】
第１１の発明は、第１０の発明に記載の自動写真作成方法をコンピュータに実行させることを特徴とするプログラムである。
【発明の効果】
【００２０】
上記第１の発明によれば、第１の領域に対して、第１の被撮影面の像が占める領域の色に応じた画像補正を行い、またはさらに第２の領域に対して、第２の被撮影面の像が占める領域の色に応じた画像補正を行うことにより、当該領域の色に対応する所定のクロマキーマスクが作成されるので、撮影範囲内の背景となるべき第１および第２の被撮影面の色合いが異なる場合であっても、それぞれに対応するクロマキーマスクを作成し、クロマキー処理を行うことができる。
【００２１】
上記第２の発明によれば、付された色は略同一であるが、結果的に（例えば材質や撮影方向、照明方向などの違いにより）第１および第２の被撮影面の像が占める領域の色が異なる場合であっても、それぞれに対応するクロマキーマスクを作成し、クロマキー処理を行うことができる。
【００２２】
上記第３の発明によれば、画像補正を行うことにより、第１および第２の被撮影面の像が占める領域を同一色とするので、同一色に対応するクロマキーマスクを１つだけ作成すればよく、構成を簡易にすることができる。
【００２３】
上記第４の発明によれば、第１の被撮影面が撮影手段の撮影方向に対して略垂直方向に沿った平面とは異なる面を有していることから色合いが均一とはならず、マスク作成手段によりこの色の変化が解消されるよう第１の領域に対して所定の画像補正が行われるので、この構成により、クロマキー処理のための理想的な均一性および色合いを有する画像に基づきクロマキー処理を行うことができる。
【００２４】
上記第５の発明によれば、第１の被撮影面が撮影手段の撮影方向に対して略垂直方向に沿った平面から傾いていることから色合いが傾きに応じて変化するので、マスク作成手段によりこの傾きに応じた色の変化が解消されるよう第１の領域に対して所定の画像補正が行われるので、この構成により、クロマキー処理のための理想的な均一性および色合いを有する画像に基づきクロマキー処理を行うことができる。
【００２５】
上記第６の発明によれば、第１および第２の被撮影面が筐体の各内面のいずれかに対応しているので、筐体内面を背景とする場合における第１および第２の被撮影面の色合いが異なる場合であっても、それぞれに対応するクロマキーマスクを作成し、クロマキー処理を行うことができる。
【００２６】
上記第７の発明によれば、操作入力手段により利用者から付加画像を選択する操作入力が受け付けられ、クロマキー処理手段により当該付加画像が合成されるので、利用者が自ら選択した付加画像を（仮想的な）背景画像とした合成画像を得ることができ、本装置の遊戯性を高めることができる。
【００２７】
上記第８の発明によれば、サンプリング手段により利用者が被写体に含まれない背景撮影画像が所定の時点で取得され、この背景撮影画像に基づき画像補正が行われるので、撮影手段の撮影方向に対する第１および第２の被撮影面の角度の違い、材質の違い、または汚れ方等の違い（例えば床面は利用者に踏まれることにより汚れて色がくすんだり摩耗して色がうすくなったりしやすいという違い）をほぼ完全に補償することができ、クロマキー処理のための理想的な均一性および色合いを有する画像に基づきクロマキー処理を行うことができる。
【００２８】
上記第９の発明によれば、エラー検出手段により背景撮影画像に利用者の像に含まれるべき色が含まれる異常が検出されるので、利用者の像を含む背景撮影画像をクロマキー処理の対象とすることにより異常な合成画像を作成することを未然に防止することができる。
【００２９】
上記第１０の発明によれば、上記第１の発明と同様の効果を自動写真作成方法において奏することができる。
【００３０】
上記第１１の発明によれば、上記第１の発明と同様の効果を自動写真作成プログラムにおいて奏することができる。
【発明を実施するための最良の形態】
【００３１】
以下、本発明の一実施形態につき添付図面を参照して説明する。
＜１.  全体構成＞
図１は、本発明の一実施形態に係る自動写真作成装置（遊戯用写真作成装置）を側面から見た図であり、図２は、この写真作成装置の本体部４を正面から（被写体としての利用者Ｕから）見た図である。以下、これらの図を参照して、本実施形態に係る自動写真作成装置の全体構成について説明する。
【００３２】
この自動写真作成装置は、利用者Ｕが入る撮影室２と、利用者Ｕの撮影画像を含む合成画像を生成して写真シール（または写真カード）として出力する本体部４とを備えている。なお、利用者Ｕは１人以上であればよいが、説明の便宜のためここでは２人であるものとする。
【００３３】
撮影室２は、略直方体形状であって、内部に入る利用者Ｕから見て上の面である天面と、下の面である床面と、左右の面である左右側面と、後ろの面である背面と、前の面である前面とを有している。本体部４は、前面に沿って配置される。なお、左右側面の一部には、利用者Ｃが出入りするための開口部と、当該開口部の一部または全部を覆う遮光カーテンとが設けられている。
【００３４】
また、後述するように、撮影室２の背面および床面にはクロマキー合成処理のための単一の色（ここでは青色または緑色）が付されている。ただし、背面を構成する板材と床面を構成する板材とは材質が異なるので、これらに同一の色を付したとしても（または同一の色となるように工夫したとしても）その色合いを完全に同一とすることはできない。さらに、背面はカメラの撮影中心方向に対してほぼ垂直に配置され、また後述するようにほぼ均一に照明が当てられるのでほぼ均一な色合いとなるが、床面はカメラの撮影方向や照明方向に対して所定の角度を有しているので均一な色合いとはならない。このことから一般的なクロマキー合成処理を行うことはできないが、本実施形態においては後述する特徴的な構成によって、クロマキー合成処理が行われる。なお、本明細書において色合いとは色相や彩度などおよそ視感上区別される要素を含んで色に関連する事項を指すものとする。
【００３５】
本体部４は、利用者Ｕを撮影する撮影手段としてのカメラ１０と、当該カメラ１０の上方の適宜の位置に配置され閃光を発する照明手段としてのフラッシュ１１と、当該カメラ１０の下方に配置されたＣＲＴ（Cathode Ray Tube）または液晶ディスプレイパネル等からなる表示装置であるプレビューモニタ２２と、利用者Ｕに対して撮影のための操作画面などを提供する液晶ディスプレイおよび当該操作画面を覆う操作位置検出用の透明シートからなる液晶タッチパネル２０とを備える。
【００３６】
カメラ１０は、典型的には、ＣＣＤ（電荷結合素子）を利用してデジタル画像信号を生成するデジタルカメラであって、撮影室２内の利用者Ｕを撮影し、その撮影画像を表す画像信号を出力する。
【００３７】
プレビューモニタ２２は、上記画像信号の表す画像をリアルタイムで表示するように構成されており、カメラ１０によって得られる撮影画像を確認するために使用される。
【００３８】
液晶タッチパネル２０は、上述の操作画面などを提供する表示手段として機能するほか、撮影のための操作手段など、利用者Ｕによる各種操作を受け付ける操作手段として機能する。なお、液晶タッチパネル２０は、図示されないタッチペンにより操作されるが、利用者Ｕの指などにより操作されてもよく、例えば上記透明シートを含まない静電誘導方式の操作位置検出機能を有する液晶タッチパネルなどであってもよい。
【００３９】
また本体部４は、コンピュータを中心に構成され各部の制御等を行う主制御装置、Ｉ／Ｏ制御装置、およびカメラ１０により得られる撮影画像を含む合成画像を写真シール（または写真カード）として出力するプリンタ等を内蔵している。さらに、本体部４は、前面下方にコイン投入口２６を、側面に写真シールの取出口２８を、それぞれ備えている。さらにまた、本体部４は、本自動写真作成装置の動作中は常時点灯される照明装置１３Ｌ，１３Ｒをカメラ１０の左右にそれぞれ備えている。
【００４０】
＜２.  機能的構成＞
図３は、本実施形態に係る自動写真作成装置の要部を機能面から見た構成を示すブロック図である。この自動写真作成装置は、機能的には、撮影部５２と、確認表示部５４と、メイン表示・操作部６２と、出力部６６と、照明部７０と、Ｉ／Ｏ制御部７２と、主制御部８０とから構成される。
【００４１】
この構成において、撮影部５２は、ＣＣＤ等の撮像素子を用いて構成されるカメラ１０に相当し、リアルタイムに画像を取り込んで当該画像（この画像は「スルー画像」と呼ばれる）を表す画像信号を出力する。この画像信号は主制御部８０に入力されて、その内部のメモリにスルー画像データとして一時的に記憶される。また、このスルー画像データは、スルー画像信号として主制御部８０から確認表示部５４に供給される。確認表示部５４は、プレビューモニタ２２に相当し、そのモニタ用画像信号に基づきスルー画像をリアルタイムで表示する。
【００４２】
メイン表示・操作部６２は、液晶タッチパネル２０に相当し、出力されるべき写真のレイアウトを決定するための利用者Ｕの操作や、シャッター操作等を受け付け、これらの操作を示す信号は、操作信号として主制御部８０に入力される。いま、利用者Ｕの撮影のためにシャッターボタン（不図示）が押下されたとすると、主制御部８０からの指示に基づき、数秒程度の予め決められた時間の経過後にカメラ１０の撮影方向にフラッシュ１１から閃光が放たれる。そのとき、利用者Ｕの撮影画像を表す信号として部５２から出力される画像信号が主制御部８０に入力され、主制御部８０内のメモリまたは補助記憶装置としてのハードディス装置等に撮影画像データとして格納される。
【００４３】
出力部６６は、本体部４に内蔵されるプリンタに相当し、主制御部８０からの指示に基づき、液晶タッチパネル２０における利用者Ｕの落書きに応じて画像処理された上記撮影画像データの表す画像を写真シール（または写真カード）として出力する。
【００４４】
照明部７０は、本体部４における照明装置１３Ｌ，１３Ｒとフラッシュ１１とに相当し、主制御部８０からの指示に基づきＩ／Ｏ制御部７２によって点灯／消灯および調光が制御される。
【００４５】
Ｉ／Ｏ制御部７２は、本体部４に内蔵されるＩ／Ｏ制御装置に相当し、主制御部８０からの指示に基づき、照明部７０を制御する。また、後述のコイン検出部（不図示）からの検出信号等の入力信号を主制御部８０へ転送する。
【００４６】
主制御部８０は、本体部４に内蔵され、ＣＰＵや、メモリ、フレームバッファ、タイマー、補助記憶装置などを含むコンピュータを中心に構成される主制御装置に相当し、内部メモリに格納された所定プログラムをＣＰＵが実行することにより、上述のようにして入力される操作信号等に基づき各部を制御するために、上述のように各部に指示を出す。また、後述するように、上記撮影画像データと背景とされるべき画像のデータとを合成することにより、撮影画像に含まれる利用者Ｕの像に対して所定の背景画像が背景となるように合成された画像である合成画像を生成する。生成された画像はフレームバッファに書き込まれることにより、メイン表示・操作部６２に表示される。さらに、当該合成画像に対する落書き処理を行うための操作信号に基づき上記画像データの一部を書き換えることにより、当該合成画像に所定画像を描画した画像である合成画像を生成する。生成された合成画像はメイン表示・操作部６２に表示される。上記のような画像合成が終了すると、その後、写真出力部６６からは合成画像が写真シール等として出力される。出力された写真シール等は、本体部４の側面に設けられた取出口２８から取り出される。
【００４７】
上記の構成要素の他、本体部４におけるコイン投入口２６に投入されたコインを検出するためのコイン検出部（不図示）が更に本体部４に設けられており、主制御部８０は、コイン検出部での検出結果に基づき、利用者Ｕに所定時間だけ撮影や撮影画像に対する描画等による合成画像の生成など、本自動写真作成装置によるプレイを許容するように各部を制御する。このコイン検出部やその検出結果に基づく主制御部８０による制御動作は、従来の自動写真作成装置と同様であって周知であるので、その詳しい説明を省略する。
【００４８】
なお、主制御装置において実行される上記所定プログラムは、例えば、そのプログラムを記録した記録媒体であるＣＤ−ＲＯＭによって提供される。すなわち、上記所定プログラムの記録媒体としてのＣＤ−ＲＯＭが主制御装置内に補助記憶装置として内蔵されたＣＤ−ＲＯＭ駆動装置に装着され、そのＣＤ−ＲＯＭから所定プログラムが読み出されて補助記憶装置としてのハードディスク装置にインストールされる。また、上記所定プログラムは、ＣＤ−ＲＯＭ以外の記録媒体や通信回線を介して提供されてもよい。そして、本自動写真作成装置の起動のための所定操作がなされると、ハードディスク装置にインストールされた所定プログラムは、主制御装置内のメモリに転送されてそこに一時的に格納され、主制御装置内のＣＰＵによって実行される。これにより、主制御装置による上記各部の制御処理が実現される。
【００４９】
＜３.  動作＞
＜３.１  全体的な動作＞
上述のように本実施形態における主制御部８０の動作は、その内部のＣＰＵが上記所定プログラムを実行することにより実現される。図４は、このようにして実現される主制御部８０の動作の手順を示すフローチャートである。本実施形態では、コイン投入口２６に所定のコインが投入されると、本自動写真作成装置は、以下のように動作する。
【００５０】
まず、主制御部８０は、装置の初期化処理、すなわち各ハードウェアの初期化や、設定値として主制御部８０に記憶されるデータの初期化処理を行い、さらに予め決められた撮影のための時間（以下「撮影時間」という）が経過するとタイムアウトとなるようにタイマーを設定し、そのタイマーをスタートさせる（ステップＳ１０）。
【００５１】
続いて、主制御部８０は、利用者Ｕを撮影するための撮影処理を行う（ステップＳ２０）。この撮影処理において、主制御部８０は、図示されないシャッターボタンまたはメイン表示・操作部６２の画面に表示されるシャッターボタンが押されたか否かを操作信号に基づき判定し、シャッターボタンが押されるまで待機する。なお、シャッターボタンが一度も押されないまま撮影時間が終了するときには、シャッターボタンが押されたときの処理が自動的に行われるものとする。
【００５２】
シャッターボタンが押下されると、主制御部８０は、撮影開始を利用者にメイン表示・操作部６２の画面で知らせ、数秒程度の予め決められた時間の経過後に撮影部（カメラ）５２に撮影信号（シャッター信号）を送る。これにより、撮影部５２のシャッター動作と同期して照明部（フラッシュ）７０が閃光を放ち、主制御部８０がキャプチャ処理を開始する。すなわち、主制御部８０は、照明部（フラッシュ）７０からの閃光で照らされた利用者Ｕの撮影画像を表す信号として撮影部５２から出力される画像信号を受け取り、メモリまたは補助記憶装置内に撮影画像の画像ファイルとして格納する。なお、所定の撮影時間の間、シャッターボタンが押下される毎に上記キャプチャ処理が実行され、撮影画像が画像ファイルとして一時的に保存される。
【００５３】
次に、主制御部８０は、予め定められた回数の撮影が行われることにより撮影が終了したか、撮影時間を示すタイマがタイムアウトとなることにより撮影が終了したか、または撮影時間の経過前であっても、メイン表示・操作部６２に対して撮影処理の終了を指示する操作が行われることにより撮影が終了したか否かを判定する（ステップＳ３０）。撮影が終了した場合、処理は次のステップＳ４０に進む。撮影が終了しない場合には、ステップＳ２０の処理に戻り、撮影が終了するまで上記処理が繰り返される（Ｓ３０→Ｓ２０→Ｓ３０）。
【００５４】
撮影が終了した場合、主制御部８０は、利用者のメイン表示・操作部６２に対する操作入力により選択された付加画像である背景画像に対して、クロマキー処理を行う（ステップＳ４０）。このクロマキー処理の詳しい内容については後述する。なお、この処理の前（または後）に、出力すべき写真シールに複数の撮影画像（またはこれを含む合成画像）を適宜配置するレイアウト処理が行われてもよい。このレイアウト処理では、予め定められた制限時間内で撮影画像をどのように配置するかを決定するための操作を受け付けることにより、所定の位置に撮影画像または合成画像が配された画像であって写真シール等を印刷するための合成画像が生成される。
【００５５】
続いて、主制御部８０およびメイン表示・操作部６２による落書き処理が行われる（ステップＳ５０）。この落書き処理では、主制御部８０により落書き処理のために予め決められた時間（以下「落書き時間」という）が設定され、この落書き時間内に利用者Ｕは液晶タッチパネル２０を使用することにより落書きを行う。具体的には、液晶タッチパネル２０に撮影画像および落書きのための各種アイコン等、例えば、仮想的な落書きペンの太さや色などを選択可能にするため表示されるペン先アイコンやスタンプ画像を選択可能にするため表示されるスタンプアイコン等が表示され、これらに対する利用者Ｕによる操作が受け付けられる。すなわち利用者Ｕは、液晶タッチパネル２０でこれらの各種アイコン等のうちの１つを選択する（すなわち表示されたアイコン上にカーソルを動かして確定させる）操作や、表示画面上の所望の位置を指定する操作などを行うことにより、仮想的な落書きを行う。
【００５６】
続いてステップＳ６０における印刷処理では、上記ステップＳ５０における落書き処理により生成された合成画像（より詳細には前述したレイアウト処理により適宜の位置および大きさに撮影画像がレイアウトされ種々の落書きが行われ、さらに後述するように背景画像がクロマキー合成された合成画像）が出力される。すなわち、主制御部８０は、（クロマキー合成され）落書き等をされた合成画像の出力を出力部（プリンタ）６６に指示する。これにより、出力部６６としてのプリンタは、その合成画像を写真シールとして出力する。
【００５７】
そうして上記ステップＳ６０における印刷処理が終了すると、図４に示す一連の処理は終了され、所定の金額に相当するコインが新たにコイン投入口２６に投入されるまで図４に示す処理は実行待ち状態となる。この実行待ち状態において、所定の金額に相当するコインが新たにコイン投入口２６に投入されるまで図４に示す処理は実行待ち状態となる。この実行待ち状態において、所定の金額に相当するコインが新たに投入されると、上記と同様の処理（ステップＳ１０〜Ｓ６０）が実行される。
【００５８】
＜３.２  クロマキー処理における動作＞
次に、前述したクロマキー処理（ステップＳ４０）の詳細な処理内容について説明する。図５は、レポート処理の詳細なサブルーチン処理の手順を示すフローチャートである。図５に示すステップＳ４０１において、主制御部８０は、前述したステップＳ２０により取得される撮影画像から予め定められた第１の領域を切り出す。すなわち当該部分のみが複製された新しい画像が生成される。以下、図６を参照して具体的に説明する。
【００５９】
図６は、撮影室内の利用者をカメラにより撮影するときの撮影範囲を示す図である。図６において、撮影室２の内面を構成する天面、床面、背面、および左右側面のうち、背面１１０および床面１２０には同一の単一色（ここでは青色または緑色）が付されている。もっとも、床面１２０はカメラ１０の撮影方向や各種照明の投射方向に対して垂直とはほど遠い所定の角度を有しているので均一な色合いとはならず、具体的には背面１１０に近づくほど暗い色合いとなっている。
【００６０】
また、カメラ１０には光学的な構造により定まる所定の画角があり、この画角やカメラ１０の撮影方向などにより撮影範囲１０１が予め定まっている。図６において、この撮影範囲１０１には２人の利用者Ｕの全身と、利用者Ｕの背景となっている背面１１０および床面１２０の一部とが含まれている。したがって、ステップＳ２０により取得される撮影画像は、利用者Ｕの背景としての背面１１０を撮影範囲として含む撮影画像の一部である第１の領域１０１ａの画像（以下、単に「第１の領域」ともいう）と、利用者Ｕの背景として床面１２０を撮影範囲として含む撮影画像の一部である第２の領域１０１ｂの画像（以下、単に「第２の領域」ともいう）とからなっている。
【００６１】
上述したステップＳ４０１では、撮影範囲１０１に含まれる第１の領域１０１ａの位置がカメラ１０の画角や撮影方向などにより予め定まっていることに基づき、撮影画像から第１の領域１０１ａの画像のみが切り出される（複製される）。なお、この画像が撮影画像から切り出されることにより、撮影画像の該当部分が削除されるなど撮影画像自体に変化が生じることはない。
【００６２】
次にステップＳ４０２において、主制御部８０は、切り出された第１の領域１０１ａの画像に対して所定の第１の画像補正を行う。この第１の画像補正は、クロマキー合成における（最適化のための）前処理としての周知の画像補正であって、切り出された画像（ここでは第１の領域、さらに具体的には第１の領域に含まれる背面１１０の像）の色相や明るさなどに応じて、この第１の領域の色相や明るさなどをクロマキー処理のために理想的な値となるよう修正する。なお、実際に取得された撮影画像がキー色に応じたクロマキー処理のためにほぼ最適な色相や明るさなどであれば、このステップＳ４０２の処理は省略することができる。
【００６３】
続いて、ステップＳ４０３において、主制御部８０は、ステップＳ４０２において画像補正された第１の領域のための第１のクロマキーマスクを作成する。この第１のクロマキーマスクは、周知の合成マスク（アルファチャネル）であって、対象となる画像（ここでは第１の領域）のうちのキー色（ここでは青色または緑色）を有する領域、すなわち第１の領域に含まれる背面１１０の像が占める領域を透明とし、それ以外の領域を非透明とするためのデータである。この合成マスクは一般的には対象となる画像の画素毎に０（完全透明）から２５５（完全非透明）までの透過度を示す値αが設定される。なおここでのαは、０および２５５のみが使用されるものとする。
【００６４】
このようなクロマキーマスクを使用することにより、詳しくはステップＳ４０７，Ｓ４０８において後述するように、撮影画像の非透明領域（α＝２５５）に相当する（利用者が適宜選択した）背景画像の領域は隠され（マスクされ）、その透明領域（α＝０）に相当する背景画像の領域は見えるように合成される。そのため、あたかも対象となる撮影画像の非透明領域の部分が切り取られ、切り取られた当該部分が上記背景画像に対して貼り付けられたような合成画像が得られる。
【００６５】
次にステップＳ４０４において、前述したステップＳ４０１と同様に、主制御部８０は、前述したステップＳ２０により取得される撮影画像から予め定められた第２の領域を切り出す（複製する）。なお、このことにより撮影画像自体に変化が生じないことは前述した。
【００６６】
続いてステップＳ４０５において、主制御部８０は、切り出された第２の領域１０１ｂの画像に対して所定の第２の画像補正を行う。この第２の画像補正は、第１の画像補正とは異なる画像補正であって、第１の画像補正とは異なり省略できないものである。以下、詳しく説明する。
【００６７】
この第２の画像補正は、クロマキー合成における（最適化のための）前処理としての周知の画像補正と、第２の領域１０１ｂに対応する床面１２０がカメラ１０の撮影方向に対して所定の角度を有している（すなわち略垂直方向から傾いている）ために生じる領域内の色変化を補正する画像補正とを含んでいる。
【００６８】
まず、この第２の画像補正に含まれるクロマキー合成における（最適化のための）前処理としての周知の画像補正は、切り出された画像（ここでは第２の領域、さらに具体的には第２の領域に含まれる床面１２０の像）の色相や明るさなどに応じて、第１の画像補正と同様の手法で行われるが、これと同一内容の画像補正ではない。なぜなら、第１および第２の領域１０１ａ，１０１ｂに対応する背面１１０および床面１２０の色合いは、カメラ１０の撮影方向に対する角度の違いから互いに同一とはならないからである。また、背面１１０と床面１２０との材質の違いなどを考慮しても背面１１０および床面１２０の色合いはやはり同一とはならない。
【００６９】
また、この第２の画像補正に含まれる領域内の色変化を補正する画像補正は、第１の画像補正において必要がない。なぜなら、この色変化は、第２の領域１０１ｂに対応する床面１２０がカメラ１０の撮影方向に対して略垂直方向でないこと、および床面１２０が照明の投射方向に対して略垂直の面からかなり傾いている（浅い角度しかない）ので、照明に近い部分が明るく、照明に遠い部分（すなわち背面１１０に近い部分）が暗くなること、などの理由により生じるからである。この色合いの変化は、典型的には位置に応じた連続的な変化（グラデーション）となる。よって、この変化を補償（解消）するように定められた補正用テーブル、補正用画素マップ、または数式などを使用することにより、クロマキー処理のための理想的な均一性および色合いを有する画像となるように第２の領域を補正することができる。なお、上記変化を補償するテーブルや数式は、筐体の形状、材質、カメラや照明の位置などに基づき、３次元グラフィックス（例えばレイトレーシング等）や各種シミュレーションなどの周知の手法により比較的容易に算出することができるが、実測値に基づいて算出されてもよい。なお、この補償のための画像を適宜取得する手法については変形例において後述する。
【００７０】
続いて、ステップＳ４０６において、主制御部８０は、ステップＳ４０５において画像補正された第２の領域のための第２のクロマキーマスクを作成する。この第２のクロマキーマスクも、第１のクロマキーマスクと同様に周知の合成マスク（アルファチャネル）であって、対象となる画像（ここでは第２の領域）のうちのキー色を有する領域、すなわち第２の領域に含まれる床面１２０の像が占める領域を透明とし、それ以外の領域を非透明とするためのデータである。なお、この第２のクロマキーマスクを作成するためのキー色は、青色または緑色ではあるが、第１のクロマキーマスクを作成するためのキー色と同一ではない。前述したように床面１２０はカメラ１０の撮影方向や各種照明の投射方向に対して所定の角度を有しているので、これらに対してほぼ垂直な背面１１０とは同じ色合いとはならないからである。もっとも、ステップＳ４０２，Ｓ４０５における画像補正より、これらの色合いを同一色とする場合には同一のキー色となるが、詳しい変形例については後述する。
【００７１】
次に、ステップＳ４０７において、主制御部８０は、メイン表示・操作部６２に予め作成された複数の背景画像の一部または全部を表示し、利用者による選択をメイン表示・操作部６２より受け付ける。具体的には、液晶タッチパネル２０に様々な背景画像が表示され、利用者Ｕにより、液晶タッチパネル２０でこれらの背景画像のうちの１つを選択する（すなわち画面のカーソルを動かしたりパネルを指で押したりすることにより確定させる）操作が行われる。このことにより、利用者は自ら選択した付加画像を（仮想的な）背景画像とした合成画像を得ることができるので、本装置の遊戯性を高めることができる。
【００７２】
続いて、ステップＳ４０８において、主制御部８０は、ステップＳ４０３，Ｓ４０６において作成された第１および第２のクロマキーマスクを適用することにより、ステップＳ４０７において利用者により選択された付加画像としての背景画像を、ステップＳ２０において取得された撮影画像に対してクロマキー合成することにより、出力すべき合成画像を作成する。その後クロマキー処理は終了し、図４に示す処理に復帰する。
【００７３】
＜４.  効果＞
上記のように本実施形態によれば、利用者Ｕの背後に設けられた背面１１０と、当該背面１１０とは異なる撮影範囲内の部分である床面１２０とにキー色を付し、それらが異なる色合いとなる場合であっても、それぞれに対応するクロマキーマスクを作成し、クロマキー処理を行うことができる。
【００７４】
＜５.  変形例＞
＜５.１  第１の主たる変形例＞
上記実施形態では、ステップＳ４０５において第２の画像補正に含まれる領域内の色変化を補正する画像補正が行われ、この変化を補償（解消）するように定められた補正用テーブル、補正用画素マップ、または数式などが使用されることにより、クロマキー処理のための理想的な均一性および色合いを有する画像となるように第２の領域が補正される構成であるが、この構成に代えて、本第１の主たる変形例では、この補償のために使用される（基準となる）画像を適宜取得する構成である。以下、図７を参照して説明する。
【００７５】
図７は、補償のために使用される基準となる背景撮影画像を取得するための、主制御部８０の動作の手順を示すフローチャートである。本変形例では、この図７に示す主制御部８０の動作は前述した図４に示す動作と並行して行われる。もっとも、以下に説明するように実際に並行して動作するのは不使用時間検出処理とその判定処理のみである。
【００７６】
図７に示されるステップＳ７１において、主制御部８０は、利用者Ｕにより装置が使用されない時間の経過時間を検出する。具体例としては、コイン投入口２６に所定のコインが投入されて図４に示す一連の処理が終了した後から、次のコインが投入されて一連の処理が開始されるまでの装置が使用されない経過時間が計測される。
【００７７】
次に、ステップＳ７２において、主制御部８０は、ステップＳ７１において計測された経過時間が所定の時間を超えて（しばらくは利用者Ｕにより利用されないであろう）十分な時間を経過したか否かを判定し、十分な時間が経過した場合には続くステップＳ７３の処理に進み、十分な時間が経過していない場合にはステップＳ７１の検出処理に戻り十分な時間が経過するまで処理が繰り返される（Ｓ７２→Ｓ７１→Ｓ７２）。
【００７８】
続いて、ステップＳ７３において、主制御部８０は、背景となるべき背面１１０および床面１２０を自動的に撮影することにより背景撮影画像を取得する。このとき不使用時間が十分に経過しているので利用者Ｕは筐体内部にほぼ確実にいないと推測されるが、本撮影処理の直前に筐体内に入ってくることも考えられるので、本撮影処理において得られる背景撮影画像に利用者Ｕが含まれている場合もまれに考えられる。この利用者Ｕが含まれている画像を背景撮影画像としてクロマキー処理の対象とすれば背景が異常となるので得られる合成画像は異常なものとなる。
【００７９】
そこで、ステップＳ７４において、主制御部８０は、背景撮影画像に背景となるべき背面１１０および床面１２０の青色または緑色とは大きく異なる異常色、典型的には利用者Ｕの肌色が含まれているか否かを検出する。
【００８０】
続いて、ステップＳ７５において、主制御部８０は、ステップＳ７４において異常色が検出されたか否かを判定し、異常色が検出された場合には（利用者Ｕを検知しているので不使用時間をゼロにリセットした後）ステップＳ７１の処理に戻り、上記不使用時間が経過して再度撮影された背景撮影画像に異常色が含まれない状態となるまで上記処理が繰り返される（Ｓ７５→Ｓ７１→…→Ｓ７５）。また、上記判定の結果、異常色が検出されない場合には当該背景撮影画像を保存し、不使用時間をゼロにリセットした後ステップＳ７１の処理に戻る。
【００８１】
こうして保存された背景撮影画像は、ステップＳ４０５において第２の画像補正に含まれる領域内の色変化を補正する画像補正に使用される。例えば、この背景撮影画像の色変化を打ち消すように各画素毎に色合いを補正するための補正データを含む補正用画素マップを背景撮影画像に基づき作成し、このマップに基づきクロマキー処理のための理想的な均一性および色合いを有する画像となるように第２の領域が補正される。なお、この背景撮影画像は、このステップＳ４０５またはステップＳ４０２において、クロマキー合成における（最適化のための）前処理としての画像補正のために使用されてもよい。また、上記構成に代えて、撮影画像から上記背景撮影画像を差し引くことにより得られる差分画像が人物の画像に対応することを利用して合成画像を作成してもよい。この場合、差分画像に対応するマスクはクロマキーマスクではないので、クロマキー処理が必要とはならないが、このような合成画像の作成処理はキー色を使用しない点を除いてクロマキー処理とほぼ同視できる。
【００８２】
この構成により、第１および第２の領域１０１ａ，１０１ｂに対応する背面１１０および床面１２０のカメラ１０の撮影方向に対する角度の違い、材質の違い、または汚れ方等の違い（すなわち床面１２０は利用者Ｕに踏まれることにより汚れて色がくすんだり摩耗して色がうすくなったりしやすいという違い）がほぼ完全に補償され、クロマキー処理のための理想的な均一性および色合いを有する画像となるように第２の領域を補正することができる。
【００８３】
＜５.２  第２の主たる変形例＞
上記実施形態では、例えば図６に示されるように撮影範囲１０１には、利用者Ｕのほか、背面１１０および床面１２０のみが含まれているが、カメラ１０の画角や設置位置などによっては筐体の内面のうちのその他の面が撮影される場合がある。以下、図８および図９を参照して説明する。
【００８４】
図８は、本第２の主たる変形例における自動写真作成装置を側面から見た図である。図１に示される上記実施形態における自動写真作成装置と比較すればわかるように、本変形例の装置では、カメラ１０が天面近傍に設置されており、利用者Ｕを上から見下ろすように撮影することができる。
【００８５】
図９は、撮影室内の利用者をカメラにより撮影するときの撮影範囲を示す図である。図６に示される撮影範囲１０１と比較すればわかるように、図９に示される撮影範囲２０１には、背面１１０および床面１２０の他、右側面１３０、左側面１４０、および天面１５０が含まれている。
【００８６】
このように本変形例では、第１の領域として背面１１０が含まれ、第２の領域１０２として床面１２０が含まれる上記実施形態の構成よりもさらに多くの面が撮影範囲２０１には含まれるが、このような場合であっても上記実施形態の構成を応用することにより容易に各面の色合いの変化を補償することができる。すなわち、図５に示されるステップＳ４０４〜Ｓ４０６までの処理を床面１２０に対応する第２の領域だけでなく、右側面１３０、左側面１４０、および天面１５０にそれぞれ対応する第３ないし第５の領域について同様に処理することにより、ステップＳ４０８において各面に対応したクロマキー処理を行うことができる。
【００８７】
＜５.３  その他の変形例＞
上記実施形態では、背面１１０および床面１２０には同一の色が付され、結果的に色合いが異なる状態となっているが、これらの面に付される色は必ずしも同一である必要はなく、例えば背面１１０には青色が付され、床面１２０には緑色が付されていてもよい。なお、結果的に色合いが同一の状態となる場合であっても、上記実施形態の構成により同様にクロマキー処理は可能であるが、この場合には周知の構成により同様のクロマキー処理が可能である。
【００８８】
上記実施形態では、ステップＳ４０３において使用されるキー色と、ステップＳ４０６において使用されるキー色とは異なるが、ステップＳ４０２において第１の領域において背面１１０が占める領域の色を第２の領域において床面１２０が占める領域の色となるように画像補正するか、または、ステップＳ４０５において第２の領域において床面１２０が占める領域の色を第１の領域において背面１１０が占める領域の色となるように画像補正すれば使用されるキー色を同一にすることができる。また、ステップＳ４０２，Ｓ４０５において所定の理想的なキー色になるよう背面１１０および床面１２０が占める領域の色を画像補正することによりキー色を同一にすることができる。このようにキー色を同一にすることにより、ステップＳ４０３，Ｓ４０６においてそれぞれ各領域毎にクロマキーマスクを作成する必要がなく、例えばステップＳ４０６において第１および第２の領域に共通の１つのクロマキーマスクを作成すればよいので、処理を簡単にすることができる。
【００８９】
上記実施形態では、筐体の内側平面にキー色が付される構成であるが、筐体の内面以外の平面または曲面（例えば椅子や装飾板など）や、撮影範囲に設けられるカーテンなどにキー色が付される構成であってもよい。
【００９０】
上記実施形態では、図７に示されるステップＳ７１において不使用経過時間が検出され、ステップＳ７２においてその経過が判定されるが、もちろんこれは一例であって、例えば数日に１回、例えば装置起動時や終了時にステップＳ７４における撮影処理が行われてもよいし、前回撮影時から数日ないし数ヶ月が経過した後の時点（好ましくは不使用であることが推測される時点、例えば不使用経過時間が経過後、装置起動時、または装置終了時など）において撮影処理が行われてもよい。
【図面の簡単な説明】
【００９１】
【図１】本発明の一実施形態に係る写真作成装置の側面図である。
【図２】上記実施形態に係る写真作成装置の本体部を示す正面図である。
【図３】上記実施形態に係る写真作成装置の要部を機能面から見た構成を示すブロック図である。
【図４】上記実施形態に係る写真作成装置における主制御部の動作を説明するためのフローチャートである。
【図５】上記実施形態におけるクロマキー処理の手順を示すフローチャートである。
【図６】上記実施形態における撮影室内の利用者をカメラにより撮影するときの撮影範囲を示す図である。
【図７】上記実施形態の第１の主たる変形例において、背景撮影画像を取得するための主制御部の動作の手順を示すフローチャートである。
【図８】上記実施形態の第２の主たる変形例における写真作成装置の側面図である。
【図９】上記変形例における撮影室内の利用者をカメラにより撮影するときの撮影範囲を示す図である。
【図１０】従来の例における撮影室内の利用者をカメラにより撮影するときの撮影範囲を示す図である。
【符号の説明】
【００９２】
２    …撮影室
４    …本体部
１０  …カメラ
１１  …フラッシュ
２０  …液晶タッチパネル
５２  …撮影部（カメラ）
５４  …確認表示部（プレビューモニタ）
６２  …メイン表示・操作部（液晶タッチパネル）
６６  …出力部（プリンタ）
７０  …照明部
７２  …Ｉ／Ｏ制御部（Ｉ／Ｏ制御装置）
８０  …主制御部（主制御装置）
１０１，２０１  …撮影範囲
１１０  …背面
１２０  …床面
１３０  …右側面
１４０  …左側面
１５０  …天面
Ｕ    …利用者
【図１】
2008079185.tif 000003
【図２】
2008079185.tif 000004
【図３】
2008079185.tif 000005
【図４】
2008079185.tif 000006
【図５】
2008079185.tif 000007
【図６】
2008079185.tif 000008
【図７】
2008079185.tif 000009
【図８】
2008079185.tif 000010
【図９】
2008079185.tif 000011
【図１０】
2008079185.tif 000012